(57)【要約】【課題】着陸後確実に航空機を停止できるブレーキ制御システムを提供する。【解決手段】ウェイトオンホイールスイッチ（ＷＯＷＳ）９の異常により、着陸後もＷＯＷ信号がＡＩＲの場合、回転判断装置８から出力されたタイヤ１０の回転速度の検知結果によりブレーキ制御装置３は航空機が着陸していると判断する。このとき、ＷＯＷ信号は誤りであるとブレーキ制御装置３は判断し、その旨を警告音等でパイロットに通知する。さらに、ＷＯＷ信号が誤りと判断した以降はスピンアップオーバライドを起動させ続け、シャットオフバルブ４のバルブを開いた状態に維持する。【選択図】        図１
2004345368.tif 000002
【特許請求の範囲】
【請求項１】
航空機の車輪のブレーキに加えられるブレーキ圧をバルブの開閉により制御するブレーキ制御装置であって、
前記車輪が接地したか否かを判断する接地判断手段と、
前記車輪の回転速度を検知する回転速度検知手段と、
前記接地判断手段の判断結果又は前記回転速度検知手段が検知した回転速度に基づいて前記バルブの開閉を制御するバルブ開閉手段と、
前記接地判断手段が前記車輪は接地していないと判断し、かつ前記回転速度検知手段が検知した回転速度が所定値よりも大きいとき、前記接地判断手段の判断結果が誤りであると判断する故障判断手段とを備えることを特徴とするブレーキ制御装置。
【請求項２】
請求項１に記載のブレーキ制御装置であってさらに、
前記接地判断手段の判断結果が誤りであると前記故障判断手段が判断した場合、前記航空機のパイロットに警告を通知する通知手段を備えることを特徴とするブレーキ制御装置。
【請求項３】
請求項１又は請求項２に記載のブレーキ制御装置であって、前記接地判断手段の判断結果が誤りであると前記故障判断手段が判断した場合、前記バルブ開閉手段は前記バルブを開いた状態に維持することを特徴とするブレーキ制御装置。
【請求項４】
請求項１〜請求項３のいずれか１項に記載の手段としてコンピュータを機能させるためのブレーキ制御プログラム。
【発明の詳細な説明】
【０００１】
【発明の属する技術分野】
本発明は、ブレーキ制御装置及びそのプログラムに関し、さらに詳しくは、航空機の車輪が接地したか否かの情報及び車輪の回転速度に基づいてブレーキを制御するブレーキ制御装置及びそのプログラムに関する。
【０００２】
【従来の技術】
着陸後の航空機を減速させるために利用されるブレーキは左右の主脚にそれぞれ取り付けられている。ブレーキには油圧によりコントロールされるディスクブレーキが通常利用される。パイロットがブレーキペダルを踏み込むと、ディスクが油圧により左右の主脚のタイヤに密着され、ディスクとタイヤとの摩擦で航空機が減速する。
【０００３】
着陸直前において、パイロットのブレーキペダルの踏み込みに応じてブレーキ圧がブレーキに加えられると、タイヤがロックされる。着陸時にロックされたタイヤが地面と接触すると、タイヤがバーストする危険が生じる。以上の問題を解決するため、航空機ではタッチダウンプロテクション制御とスピンアップオーバライド制御という２つのブレーキ制御が通常用いられる。
【０００４】
タッチダウンプロテクション制御は、航空機が着陸したか否かを判断することによってブレーキの制御を行う。航空機が着陸したか否かの判断は、左右の主脚にそれぞれ取り付けられたウェイトオンホイールスイッチ（Ｗｅｉｇｈｔ  ｏｎ  Ｗｈｅｅｌ  Ｓｗｉｔｃｈ：以下、ＷＯＷＳと称する）を用いて行われる。ＷＯＷＳから出力されるＷＯＷ（Ｗｅｉｇｈｔ  ｏｎ  Ｗｈｅｅｌ）信号がＨ（論理ハイ）レベル（以下、ＡＩＲと称する）のとき、航空機は飛行していると判断される。左右の両ＷＯＷ信号の少なくとも一方がＡＩＲの場合、タッチダウンプロテクションは起動する。このとき、ブレーキ圧をブレーキに供給するためのバルブが閉められ、パイロットのブレーキペダルの踏み込み量に関わらず、ブレーキ圧がフルリリースされる。一方、ＷＯＷ信号がＬ（論理ロー）レベル（以下、ＧＮＤと称する）のとき、航空機は着陸していると判断される。ＷＯＷＳは着陸により主脚に圧力が加わったとき、ＷＯＷ信号をＧＮＤにする。左右のＷＯＷ信号がＧＮＤとなってから所定期間△ｔ（たとえば３秒）経過後にタッチダウンプロテクションは解除される。このとき、バルブは開かれ、ブレーキ圧が徐々に加えられる。そのため、着陸時にタイヤはロックされない。
【０００５】
スピンアップオーバライド制御は、主脚のタイヤの回転速度に基づいてブレーキ制御を行う。左右の主脚のタイヤの回転速度がともに第１所定値（たとえば４０ｋｔｓ）よりも大きくなったとき、スピンアップオーバライドが起動する。その結果、バルブが開かれ、ブレーキ圧が徐々にブレーキに加えられる。航空機が低速で着陸した場合、タッチダウンプロテクション制御にのみ基づいて航空機は滑走路上で停止できる。しかしながら、航空機が高速で着陸した場合、ＷＯＷ信号がＧＮＤになってから３秒経過するまでに航空機は滑走路上のかなりの距離を走行するため、３秒経過してからブレーキが利くタッチダウンプロテクション制御のみでは滑走路上で停止できない可能性がある。そのため、航空機が高速で着陸した場合はスピンアップオーバライド制御に基づいて着陸後速やかに（３秒経過前に）ブレーキ圧が加えられる。
【０００６】
ブレーキ圧が加えられると、航空機は減速する。減速した結果、タイヤの回転速度が第２所定値（たとえば２０ｋｔｓ）よりも小さくなるとスピンアップオーバライドは解除され、再びタッチダウンプロテクション制御に基づいてブレーキ圧が加えられる。航空機が停止する前にスピンアップオーバライドを解除しなければ、次回の着陸時にスピンアップオーバライドが起動したままとなり、着陸直後にブレーキが利き、タイヤがロックする危険がある。そのため、機体が停止する前にスピンアップオーバライドは解除される。
【０００７】
以上に説明したように、着陸後の航空機の停止動作はタッチダウンプロテクション制御及びスピンアップオーバライド制御の２つのブレーキ制御により行われる。しかしながら、ＷＯＷＳが故障していた場合、航空機が停止できないといった問題が生じる。すなわち、ＷＯＷＳが故障している場合、ＷＯＷ信号は着陸後もＡＩＲのままである。このとき、タイヤの回転速度が４０ｋｔｓよりも大きいときはスピンアップオーバライドが起動してブレーキ圧が加えられるが、ブレーキ圧が加えられ機体が減速した結果、タイヤの回転速度が２０ｋｔｓ以下となると、スピンアップオーバライドは解除され、再びタッチダウンプロテクションに基づいてブレーキが制御される。しかしながらＷＯＷＳの故障によりＷＯＷ信号はＡＩＲのため、バルブは閉められ、ブレーキ圧がフルリリースとなる。その結果、航空機は停止できない。
【０００８】
【特許文献１】
特開平１０−２３０８３１号公報
【０００９】
【発明が解決しようとする課題】
本発明の目的は、着陸後確実に航空機を停止できるブレーキ制御システムを提供することである。
【００１０】
【課題を解決するための手段】
本発明によるブレーキ制御装置は、航空機の車輪のブレーキに加えられるブレーキ圧をバルブの開閉により制御するブレーキ制御装置であって、接地判断手段と、回転速度検知手段と、バルブ開閉手段と、故障判断手段とを備える。接地判断手段は車輪が接地したか否かを判断する。回転速度検知手段は車輪の回転速度を検知する。バルブ開閉手段は、接地判断手段の判断結果又は回転速度検知手段が検知した回転速度に基づいてバルブの開閉を制御する。故障判断手段は接地判断手段が車輪は接地していないと判断し、かつ回転速度検知手段が検知した回転速度が所定値よりも大きいとき、接地判断手段の判断結果が誤りであると判断する。
【００１１】
本発明のブレーキ制御装置は、接地判断手段が車輪は接地していないと判断した場合であっても、回転速度検知手段が検知した回転速度が所定値よりも大きいとき、故障判断手段は接地判断手段の判断結果が誤りであると判断する。これにより、ブレーキ制御装置は、航空機の車輪が接地したか否かを判断するための装置（ＷＯＷＳ等）に何らかの異常が発生していることを把握できる。
【００１２】
好ましくはさらに、ブレーキ制御装置は通知手段を備える。通知手段は接地判断手段の判断結果が誤りであると故障判断手段が判断した場合、航空機のパイロットに警告を通知する。
【００１３】
この場合、通知手段の通知によりパイロットは航空機の異常を把握でき、異常に対して迅速に対応できる。なお、通知手段による通知は警告音や警告音声による通知でもよく、航空機のコクピット内のディスプレイに画面表示する通知でもよい。
【００１４】
好ましくは、接地判断手段の判断結果が誤りであると故障判断手段が判断した場合、バルブ開閉手段はバルブを開いた状態に維持する。
【００１５】
この場合、接地判断手段の判断結果が誤りであると故障判断手段が判断することにより、バルブ開閉手段はバルブを開いた状態に維持する。その結果、接地判断手段の判断結果が誤りであると判断された後は、ブレーキには常時ブレーキ圧が加えられる。その結果、航空機の車輪が接地したか否かを判断するための装置（ＷＯＷＳ等）に異常が生じても航空機は停止できる。
【００１６】
【発明の実施の形態】
以下、本発明の実施の形態を図面を参照して詳しく説明する。図中同一又は相当部分には同一符号を付してその説明を援用する。
【００１７】
［ブレーキ制御システムの全体構成図］
図１を参照して、ブレーキ制御システム２０は、ブレーキペダル１と、踏み込み量検知装置２と、ブレーキ制御装置３と、シャットオフバルブ４と、ブレーキコントロールバルブ５と、ブレーキ６と、油圧源７と、回転速度検知装置８と、ウェイトオンホイールスイッチ（ＷＯＷＳ）９と、タイヤ１０と、油圧配管１１とを備える。
【００１８】
踏み込み量検知装置２はパイロットによるブレーキペダル１の踏み込み量を検知し、検知結果をブレーキ制御装置３に送信する。シャットオフバルブ４及びブレーキコントロールバルブ５は油圧源７とブレーキ６との間にそれぞれ配置され、ブレーキ制御装置３からの指令により開閉される。なお、シャットオフバルブ４はバルブを完全に開くか、完全に閉じるかしかできないが、ブレーキコントロールバルブ５はバルブを徐々に開いたり、閉じたりできる。ブレーキ６はディスクブレーキであり、油圧源７から油圧配管１１を介して供給された油圧が加えられることにより、タイヤ１０の回転速度を低減する。ディスクブレーキはシングル・ディスクブレーキ（ｓｉｎｇｌｅ−ｄｉｓｋ  ｂｒａｋｅ）でもマルチプル・ディスクブレーキ（ｍｕｌｔｉｐｌｅ−ｄｉｓｋ  ｂｒａｋｅ）でもよい。ＷＯＷＳ９はＷＯＷ信号をブレーキ制御装置３に出力する。飛行中ＷＯＷＳ９はＡＩＲのＷＯＷ信号を出力する。着陸により主脚に圧力が加わったとき、ＷＯＷＳ９はＧＮＤのＷＯＷ信号を出力する。
回転速度検知装置８はタイヤの回転速度を検知し、検知結果をブレーキ制御装置３に出力する。
【００１９】
ブレーキ制御装置３は、ＣＰＵ（Ｃｅｎｔｒａｌ  Ｐｒｏｃｅｓｓｉｎｇ  Ｕｎｉｔ）３１と、記憶装置３２とを含む。ブレーキ制御装置３はブレーキ６に加えられるブレーキ圧を調整する。具体的には、ブレーキ制御装置３はＷＯＷ信号及び回転速度検知装置８の検知結果に基づいてシャットオフバルブ４にバルブの開閉を指示する。また、踏み込み量検知装置２の検知結果に基づいてブレーキコントロールバルブ５にバルブの開閉を指示する。なお、ブレーキ制御装置３内の記憶装置３２にブレーキ制御プログラムをインストールすることで、ブレーキ制御システム２０はブレーキ制御処理を実行できる。
【００２０】
［ブレーキ制御動作］
初めに、ＷＯＷＳ９が正常な場合のブレーキ制御動作について図２及び図３で説明する。なお、図３のタイミング図中では、パイロットによるブレーキペダル１の踏み込み量は常時最大とする。
【００２１】
ブレーキ制御装置３は所定期間△ＣＬＫごとに図２に示したブレーキ制御動作を繰り返す。ブレーキ制御動作では初めにタッチダウンプロテクションフラグ（以下、ＴＰフラグと称する）及びスピンアップオーバライドフラグ（以下、ＳＰフラグと称する）を「１」とするか「０」とするかを判断するフラグ判断動作（Ｓ１００）を行い、フラグ判断動作により判断されたＳＰフラグ及びＴＰフラグに基づいてシャットオフバルブ４に対してバルブの開閉を指示するバルブ開閉動作（Ｓ２００）を行う。
【００２２】
ＴＰフラグが「１」の場合、タッチダウンプロテクションが起動していることを示し、ＴＰフラグが「０」の場合、タッチダウンプロテクションは解除されていることを示す。一方、ＳＰフラグが「１」の場合、スピンアップオーバライドが起動していることを示し、ＳＰフラグが「０」の場合、スピンアップオーバライドが解除されていることを示す。ＴＰフラグ及びＳＰフラグは記憶装置３２に記憶されている。
【００２３】
図３中の時刻ｔ１で航空機は飛行中である。時刻ｔ１でのブレーキ制御動作で、ブレーキ制御装置３は初めにフラグ判断動作を行う（Ｓ１００）。具体的には、ブレーキ制御装置３はＴＰフラグが「１」か否かを判断する（Ｓ１）。時刻ｔ１では航空機は飛行中であるためタッチダウンプロテクションは起動しており、ＴＰフラグは「１」となっている。
【００２４】
このときブレーキ制御装置３はＷＯＷＳ９から送信されたＷＯＷ信号がＡＩＲであると判断する（Ｓ２）。次に、ブレーキ制御装置３はＳＰフラグが「１」か否かを判断する（Ｓ１６）。時刻ｔ１では航空機は飛行中のため、スピンアップオーバライドは解除されており、ＳＰフラグは「０」である。
【００２５】
ＳＰフラグが「０」であると判断した後、ブレーキ制御装置３はタイヤ１０の回転速度が第１所定値（４０ｋｔｓ）以上であるか否かを判断する（Ｓ１７）。
時刻ｔ１では飛行中でありタイヤ１０は回転していないため、ブレーキ制御装置３は回転速度が４０ｋｔｓより小さいと判断する。
【００２６】
以上の動作によりフラグ判断動作（Ｓ１００）は終了し、フラグ判断動作の結果に基づいてバルブ開閉動作が行われる（Ｓ２００）。具体的には、ブレーキ制御装置３はＴＰフラグを「１」と判断し（Ｓ５）、ＳＰフラグを「０」と判断する（Ｓ６）。その結果、ブレーキ制御装置３はシャットオフバルブ４にバルブを閉じるように指示する（Ｓ８）。ブレーキ制御装置３の指示を受け、シャットオフバルブ４はバルブを閉じる。よって、時刻ｔ１ではパイロットがブレーキペダル１を踏み込んでもブレーキ６にブレーキ圧は加わらず、ブレーキは利かない。
【００２７】
時刻ｔ２で航空機は着陸する。このとき、ＷＯＷＳ９はＧＮＤのＷＯＷ信号を出力する。ブレーキ制御装置３はＴＰフラグが「１」であると判断した後（Ｓ１）、ＷＯＷ信号がＧＮＤであると判断する（Ｓ２）。
【００２８】
次に、ブレーキ制御装置３はＷＯＷ信号がＧＮＤになってから所定時間△ｔ（３秒）が経過したか否かを判断する（Ｓ３）。タッチダウンプロテクション制御では、タイヤ１０のバースト防止のため、着陸後３秒間はタッチダウンプロテクションを起動させ続け、ブレーキが利かないようにする。そのため、ステップＳ３で着陸後３秒が経過したか否かを判断する。時刻ｔ２では、ブレーキ制御装置３は着陸後３秒経過していないと判断する。
【００２９】
次にブレーキ制御装置３はＳＰフラグが「１」か否かを判断する（Ｓ１１）。
時刻ｔ１から時刻ｔ２までの間でＳＰフラグに変化はないため、ブレーキ制御装置３はＳＰフラグが「０」であると判断する（Ｓ１１）。次に、ブレーキ制御装置３はタイヤ１０の回転速度が第１所定速度（４０ｋｔｓ）以上か否かを判断する（Ｓ１２）。着地後３秒以内はタッチダウンプロテクションが起動したままとなるため、タッチダウンプロテクション制御に基づけばブレーキは利かないが、３秒以内であっても回転速度が４０ｋｔｓ以上の場合はスピンアップオーバライドを起動させ、スピンアップオーバライド制御に基づいてブレーキ圧を加えられるようにするためである。時刻ｔ２では、タイヤ１０の回転速度が４０ｋｔｓよりも小さいため、ＳＰフラグは「０」のままである。
【００３０】
以上のフラグ判断動作（Ｓ１００）の結果、ＴＰフラグが「１」であり（Ｓ５）、ＳＰフラグは「０」であるため（Ｓ６）、ブレーキ制御装置３はシャットオフバルブ４を閉じるよう指示する。（Ｓ８）その結果、シャットオフバルブ４はバルブを閉じた状態を維持し、ブレーキ圧はリリースされたままとなる。
【００３１】
着陸後、タイヤ１０の回転速度が増加し、時刻ｔ２から３秒が経過する前の時刻ｔ３で回転速度が４０ｋｔｓを越える。このとき、フラグ判断動作（Ｓ１００）中のステップＳ１２で、ブレーキ制御装置３は回転速度が４０ｋｔｓ以上になったと判断し、ＳＰフラグを「１」とする（Ｓ１４）。バルブ開閉動作（Ｓ２００）では、ブレーキ制御装置３はＴＰフラグを「１」と判断し（Ｓ５）、ＳＰフラグも「１」と判断するため、ブレーキ制御装置３はスピンアップオーバライドを起動し、シャットオフバルブ４にバルブを開くように指示する（Ｓ７）。その結果、シャットオフバルブ４はバルブを開く。このとき踏み込み量検知装置２により検知された踏み込み量は最大であるが、ブレーキ制御装置３はブレーキコントロールバルブ５にバルブを徐々に開くように指示する。ブレーキコントロールバルブ５がバルブを徐々に開くことで、ブレーキ６に徐々にブレーキ圧が加わる。その結果、タイヤ１０がロックするのを防止できる。
【００３２】
時刻ｔ４で航空機の着陸後３秒が経過する。このとき、フラグ判断動作（Ｓ１００）中のステップＳ３で、ブレーキ制御装置３は着陸後から３秒経過したと判断し（Ｓ３）、ＴＰフラグを「０」とする（Ｓ４）。よって、バルブ開閉動作（Ｓ２００）ではＴＰフラグを「０」と判断し（Ｓ５）、タッチダウンプロテクションを解除する。その結果、ブレーキ制御装置３はシャットオフバルブ４にバルブを開くよう指示し（Ｓ７）、シャットオフバルブ４はバルブを開いた状態を維持する。
【００３３】
時刻ｔ４から所定期間△ＣＬＫ後の時刻ｔ４１でのフラグ判断動作（Ｓ１００）では、ブレーキ制御装置３はＴＰフラグが「０」と判断し（Ｓ１）、ブレーキ制御装置３はＷＯＷ信号がＧＮＤであると判断する（Ｓ９）。続いて、ブレーキ制御装置３はＳＰフラグが「１」であるか否かを判断する（Ｓ１１）。時刻ｔ３以降ＳＰフラグは「１」であるため、ブレーキ制御装置３はＳＰフラグが「１」であると判断する。続いて、ブレーキ制御装置３はタイヤ１０の回転速度が第２所定値（２０ｋｔｓ）以下か否かを判断する（Ｓ１３）。時刻ｔ４１では回転速度は１２０ｋｔｓを維持しているため、ブレーキ制御装置３は回転速度が２０ｋｔｓよりも大きいと判断する（Ｓ１３）。以上の結果、バルブ開閉動作（Ｓ２００）は時刻ｔ４での動作と同じになり、シャットオフバルブ４はバルブを開いた状態を維持する。
【００３４】
ブレーキ６にブレーキ圧が加えられてから時刻ｔ５以降に回転速度は減少する。時刻ｔ４１から時刻ｔ６までのブレーキ制御動作は同じである。時刻ｔ６で回転速度が２０ｋｔｓ以下となる。このとき、フラグ判断動作（Ｓ１００）中のステップＳ１３でブレーキ制御装置３は回転速度が２０ｋｔｓ以下であると判断する。このとき、ブレーキ制御装置３はＳＰフラグを「０」とし、スピンアップオーバライドを解除する。航空機が完全に停止する前にＳＰフラグを「０」にしなければ、次回の飛行時にＳＰフラグが「１」のまま（すなわち、スピンアップオーバライドが起動したまま）着陸することになる。次回の飛行前にＳＰフラグを「０」とすることでブレーキが利いた状態で着陸する危険を回避できる。
【００３５】
時刻ｔ５以降時刻ｔ６で停止するまでは、フラグ判断動作（Ｓ１００）中のステップＳ１１でブレーキ制御装置３はＳＰフラグが「０」と判断し、ステップＳ１２で回転速度は４０ｋｔｓ以下と判断する。バルブ開閉動作（Ｓ２００）は時刻ｔ４１以降と同じである。
【００３６】
ＷＯＷＳ９が正常な場合は、以上に示した動作によりブレーキ制御が可能である。続いて、ＷＯＷＳの故障により、ＷＯＷ信号が常に活性状態である場合のブレーキ制御動作について説明する。
【００３７】
図２及び図４を参照して、時刻ｔ２までのブレーキ制御動作についてはＷＯＷＳ９が正常な場合と同じである。時刻ｔ２で航空機は着陸するが、ＷＯＷＳ９が故障しているため、ＷＯＷ信号はＡＩＲのままである。よって、ブレーキ制御装置３はＴＰフラグが「１」であると判断した後（Ｓ１）、ＷＯＷ信号がＡＩＲであると判断する（Ｓ２）。次に、ブレーキ制御装置３はＳＰフラグが「１」か否かを判断する（Ｓ１６）。時刻ｔ２ではブレーキ制御装置３はＳＰフラグが「０」であると判断する。次にブレーキ制御装置３は回転速度が４０ｋｔｓを越えているか否かを判断する（Ｓ１７）。着陸時の時刻ｔ２ではブレーキ制御装置３は回転速度が４０ｋｔｓ以下であると判断する。
【００３８】
以上のフラグ判断動作により、ブレーキ制御装置３はＴＰフラグを「１」、ＳＰフラグを「０」と判断し（Ｓ５，Ｓ６）、シャットオフバルブ４にバルブを閉めるよう指示する（Ｓ８）。その結果、時刻ｔ２ではブレーキ６にブレーキ圧は加わらない。
【００３９】
時刻ｔ３で回転速度が４０ｋｔｓを越えると、ステップＳ１００のフラグ判断動作中のステップＳ１７でブレーキ制御装置３は回転速度が４０ｋｔｓ以上と判断する。このとき、ブレーキ制御装置３はＳＰフラグを「１」にする。よって、Ｓ２００のバルブ開閉動作でブレーキ制御装置３はＴＰフラグを「１」、ＳＰフラグを「１」と判断する（Ｓ５，Ｓ６）。その結果、ブレーキ制御装置３はスピンアップオーバライドを起動させ、シャットオフバルブ４にバルブを開くよう指示する（Ｓ７）。このときブレーキ６にブレーキ圧が加わる。
【００４０】
時刻ｔ３から所定期間△ＣＬＫ後の時刻ｔ３１で、フラグ判断動作（Ｓ１００）中のステップＳ１６でブレーキ制御装置３はＳＰフラグが「１」であると判断する。このとき、ＷＯＷ信号がＡＩＲであるにもかかわらず、ＳＰフラグが「１」となっているため、ブレーキ制御装置３はＷＯＷ信号が誤りであると判断し（Ｓ１９）、パイロットに対して警告を行う（Ｓ２０）。警告は、音や音声で行ってもよく、コクピット内のディスプレイに表示されてもよい。警告を行うことで、ＷＯＷ信号が誤った結果を出しており、ＷＯＷＳ９等に異常が発生していることをパイロットが迅速に把握できる。警告後のバルブ開閉動作（Ｓ２００）は時刻ｔ３と同じである。時刻ｔ３１以降、ブレーキ制御装置３は時刻ｔ３１と同じブレーキ制御動作を行い、スピンアップオーバライドを起動し続け、ブレーキ６にブレーキ圧を加え続ける。時刻ｔ６で回転速度が２０ｋｔｓ以下になったときのブレーキ制御動作も時刻ｔ３１と同じになり、ＳＰフラグは「０」にならない。その結果、ＷＯＷ信号が誤りであっても、航空機が完全に停止するまでブレーキ６にブレーキ圧が加えられ続ける。
【００４１】
以上の動作により、着陸後もＷＯＷ信号がＡＩＲであるといった異常が発生した場合、スピンアップオーバライドが起動すれば、ブレーキ制御装置３はその異常を認識でき、さらにパイロットに異常が発生した旨を警告できる。さらに、異常が発生した場合、スピンアップオーバライドを起動し続ける。その結果、２０ｋｔｓ以下でスピンアップオーバライドが解除され、航空機が停止しないという危険を防止できる。また、警告により、ＷＯＷ信号が誤った結果を出しており、ＷＯＷＳ９等に異常が発生していることをパイロットが迅速に把握できる。そのため、航空機を停止させた後、迅速に故障箇所の特定ができ、修理ができる。
【００４２】
なお、本実施の形態では、ブレーキ制御装置３はシャットオフバルブ４にバルブ開閉を指示することで、ブレーキ制御を行ったが、ブレーキコントロールバルブ５にバルブの開閉を指示してもよいし、シャットオフバルブ４とブレーキコントロールバルブ５との両方にバルブ開閉の指示をしてもよい。ブレーキ制御システム２０はブレーキ・バイ・ワイヤでもブレーキ・バイ・メカでもよい。
【００４３】
また、本実施の形態では、所定時間△ｔを３秒とし、第１所定値を４０ｋｔｓ、第２所定値を２０ｋｔｓとしたが、これらは他の値であってもよい。
【００４４】
また、本実施の形態では、ＷＯＷＳ９に異常が発生した場合、航空機が停止するまでの間スピンアップオーバライド制御に基づいてブレーキ圧を印加したが、異常発生時に警告を受けたパイロットが手動でブレーキ操作を行ってもよい。
【００４５】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【図１】本発明の実施の形態によるブレーキ制御システムの全体構成を示す概略ブロック図である。
【図２】図１に示したブレーキ制御装置の動作を示すフロー図である。
【図３】図１に示したＷＯＷＳが正常な場合の着陸時のＷＯＷ信号、タイヤ回転速度、ブレーキ圧の関係を示すタイミング図である。
【図４】図１に示したＷＯＷＳが故障している場合の着陸時のＷＯＷ信号、タイヤ回転速度、ブレーキ圧の関係を示すタイミング図である。
【符号の説明】
１０  ブレーキ制御システム
１  ブレーキペダル
２  踏み込み量検知装置
３  ブレーキ制御装置
６  ブレーキ
８  回転速度検知装置
９  ウェイトオンホイールスイッチ（ＷＯＷＳ）
【図１】
2004345368.tif 000003
【図２】
2004345368.tif 000004
【図３】
2004345368.tif 000005
【図４】
2004345368.tif 000006